(57)【要約】【課題】省スペース且つ低コストで、複数の認証方法を用いることができる情報処理装置を提供する。【解決手段】複合機１は、自装置の動作を制御するＣＰＵ１０１と、指紋情報とＩＣカード識別情報とを受け付ける指紋センサ３１及び識別情報受信アンテナ３２と、指紋センサ３１及び識別情報受信アンテナ３２が受け付けた識別情報に基いて情報処理権限の認証を行う指紋認証ＭＰＵ２０３及びＩＣカード認証ＭＰＵ２０４と、指紋センサ３１及び識別情報アンテナ３２のいずれかを選択するＣＰＵ１０１と、指紋センサ３１又は識別情報アンテナ３２、及び前記制御手段の間で行われる情報通信を制御するシリアルコントローラ１１３と、一端がシリアルコントローラ１１３に接続されるとともに、他端が指紋センサ３１又は識別情報アンテナ３２に切替可能に接続される切替スイッチと、を備える。【選択図】図１
2008276329.tif 000002
【特許請求の範囲】
【請求項１】
自装置の動作を制御する制御手段と、
相異なる識別情報を受け付ける複数種類の識別情報受付手段と、
前記複数種類の識別情報受付手段にそれぞれ対応し、当該識別情報受付手段が受け付けた識別情報に基いて情報処理権限の認証を行う複数種類の認証手段と、
前記複数種類の識別情報受付手段のうち１の識別情報受付手段を選択する認証選択手段と、
前記識別情報受付手段及び前記制御手段の間で行われる情報通信を制御する通信制御手段と、
一端が前記通信制御手段に接続されるとともに、他端が前記認証選択手段により選択された識別情報受付手段に切替可能に接続される切替手段と、を備えることを特徴とする情報処理装置。
【請求項２】
少なくとも前記複数種類の認証手段が実装されるプリント基板と、
上部に開口を有し、前記プリント基板が嵌入されるプリント基板嵌入部と、
前記プリント基板嵌入部の内面に固定され、前記プリント基板を着脱可能に接続する接続手段と、を更に備え、
前記複数種類の識別情報受付手段は前記プリント基板と前記開口との間に配置されることを特徴とする請求項１に記載の情報処理装置。
【請求項３】
異なる種類の認証手段が実装される複数のプリント基板と、
上部に開口を有し、前記複数のプリント基板が重ねて嵌入されるプリント基板嵌入部と、
前記プリント基板嵌入部の内面に固定され、前記プリント基板をそれぞれ着脱可能に接続する複数の接続手段と、を更に備え、
前記複数種類の識別情報受付手段は最上部に配置されたプリント基板と前記開口との間に配置されることを特徴とする請求項１に記載の情報処理装置。
【発明の詳細な説明】
【技術分野】
【０００１】
本発明は、情報処理装置に関し、詳しくは、複数種類の認証を行うことができる情報処理装置に関する。
【背景技術】
【０００２】
従来より、情報処理を行うに際して予め記憶している操作権限を有する識別情報と新たに受け付けた識別情報とを照合して、操作者などの操作権限の認証を行い、権限のある正当な操作者の場合にのみ情報処理の実行を認めることで、情報の機密性を保護する情報処理装置がある。このような情報処理装置においては、パスワード認証のほかに、バイオメトリクス認証やＩＣカード認証など多様な認証方法が用いられている。特に近年においては、異なる複数の認証方法を用いることができる情報処理装置も種々提案されている（例えば特許文献１、特許文献２）。
【特許文献１】特開２００３−２６６８６０号公報
【特許文献２】特開２００３−３３７５０５号公報
【発明の開示】
【発明が解決しようとする課題】
【０００３】
しかし、複数の認証方法を用いる情報処理装置においては、指紋センサやＩＣカードリーダなどの識別情報読取装置を認証方法毎に複数設ける必要があった。したがって、識別情報読取装置に大きなスペースが必要であり、また、見た目にも情報処理装置が複雑なものとなる。さらに、識別情報読取装置のみならず、シリアルコントローラやシリアルポートなどの識別情報読取装置を情報処理装置本体に接続するための部品も複数必要となり、高コストとなっていた。
【０００４】
そこで、本発明は、省スペース且つ低コストで、複数の認証方法を適用することができる情報処理装置を提供することを目的とする。
【課題を解決するための手段】
【０００５】
上記目的を達成するために、請求項１に記載の情報処理装置は、自装置の動作を制御する制御手段と、相異なる識別情報を受け付ける複数種類の識別情報受付手段と、前記複数種類の識別情報受付手段にそれぞれ対応し、当該識別情報受付手段が受け付けた識別情報に基いて情報処理権限の認証を行う複数種類の認証手段と、前記複数種類の識別情報受付手段のうち１の識別情報受付手段を選択する認証選択手段と、前記識別情報受付手段及び前記制御手段の間で行われる情報通信を制御する通信制御手段と、一端が前記通信制御手段に接続されるとともに、他端が前記認証選択手段により選択された識別情報受付手段に切替可能に接続される切替手段と、を備えることをを特徴としている。
【０００６】
この構成によれば、本発明の情報処理装置は、制御手段により自情報処理装置の動作は制御される。また、複数種類の識別情報受付手段により相異なる識別情報は受け付けられる。更に、複数種類の識別情報受付手段に対応する複数種類の認証手段により、識別情報受付手段が受け付けた識別情報に基いて情報処理権限の認証は行われる。そして、認証選択手段により、１の識別情報受付手段は選択される。また、通信制御手段により識別情報受付手段及び制御手段の間で行われる情報通信は制御される。切替手段により通信制御手段は接続されるとともに、認証選択手段が選択した識別情報受付手段は切替可能に接続される。
【０００７】
このように、本発明の情報処理装置は、相異なる識別情報を受け付ける複数種類の識別情報受付手段と、当該識別情報受付手段に対応する複数種類の認証手段とを備えるので、１人の操作者の操作権限を認証する際に、複数の異なる認証方法を用いて認証を行うことができる。このように、操作者に複数の認証を課すことで、より厳密に操作者の認証を行うことができ、より高い情報セキュリティーを実現できる。さらに、認証選択手段により、１の識別情報受付手段は選択されるので、複数の異なる認証方法を情報処理内容や情報処理されるデータの種類に応じて、任意に選択することもできる。このように、情報処理内容や情報処理されるデータの種類に応じて認証方法を変えることで、保護すべき情報の機密性に応じて任意の認証方法を用いることができる。
【０００８】
また、通信制御手段により識別情報受付手段及び制御手段の間で行われる情報通信は制御され、切替手段により通信制御手段は接続されるとともに、認証選択手段が選択した識別情報受付手段は切替可能に接続されるので、切替手段により通信制御手段と、複数の識別情報受付手段の中から選択された識別情報受付手段とが、相互に接続される。そして、切替手段が識別情報受付手段の接続を切り替えることにより、通信制御手段と接続される識別情報受付手段を切り替えることができる。このような切替手段を有するので、１の通信制御手段を用いて、複数の識別情報受付手段と制御手段との情報通信を制御することができる。したがって、通信制御手段を複数設ける構成に比べて低コストのものとすることができる。
【０００９】
請求項２に記載の情報処理装置は、請求項１に記載の情報処理装置であって、少なくとも前記複数種類の認証手段が実装されるプリント基板と、上部に開口を有し、前記プリント基板が嵌入されるプリント基板嵌入部と、前記プリント基板嵌入部の内面に固定され、前記プリント基板を着脱可能に接続する接続手段と、を更に備え、前記複数種類の識別情報受付手段は前記プリント基板と前記開口との間に配置されることを特徴とする。
【００１０】
この構成によれば、プリント基板には複数種類の認証手段が実装される。上部に開口を有するプリント基板嵌入部に、プリント基板は嵌入される。プリント基板嵌入部の内面に固定された接続手段によりプリント基板は着脱可能に接続される。複数の識別情報受付手段はプリント基板と開口との間に配置される。
【００１１】
ここで、「認証手段」とは、情報処理装置の操作権限を有する操作者の識別情報を予め記憶する記憶手段と、識別情報受付手段が受け付けた識別情報を照合する照合手段と備えることで操作権限の認証を行うことができるものをいい、例えばＭＰＵ（Micro Processing Unit）やフラッシュメモリ（flash memory）が内蔵されたＬＳＩ（Large Scale Integration）により実現することができるものである。
【００１２】
このように、本発明の情報処理装置は、同一のプリント基板に、複数の認証手段が実装されるので、プリント基板に実装された部品を共通化することができ、より安価なものとすることができる。また、プリント基板嵌入部の内面に固定された接続手段によりプリント基板は着脱自在に接続されるので、例えば識別情報受付手段が故障した場合などに簡単に交換することができる。そして、複数の識別情報受付手段はプリント基板と開口との間に配置されるので、同一プリント基板に複数の認証手段を設けた場合であっても、それぞれに対応する識別情報受付手段が相異なる識別情報を受け付けることができる。
【００１３】
請求項３に記載の情報処理装置は、請求項１に記載の情報処理装置であって、異なる種類の認証手段が実装される複数のプリント基板と、上部に開口を有し、前記複数のプリント基板が重ねて嵌入されるプリント基板嵌入部と、前記プリント基板嵌入部の内面に固定され、前記プリント基板をそれぞれ着脱可能に接続する複数の接続手段と、を更に備え、前記複数種類の識別情報受付手段は前記プリント基板と前記開口との間に配置されることを特徴とする。
【００１４】
この構成によれば、複数のプリント基板には、異なる種類の認証手段が実装される。上部に開口を有するプリント基板嵌入部に、前記複数のプリント基板は重ねて嵌入される。プリント基板嵌入部の内面に固定された接続手段により、プリント基板は着脱可能に接続される。最上部に配置されたプリント基板と開口との間には、複数種類の識別情報受付手段が配置される。
【００１５】
このように、複数のプリント基板に異なる種類の認証手段がそれぞれ実装される場合であっても、各プリント基板を重ねて、プリント基板嵌入部に嵌め入れ、複数の接続手段により接続されるので、複数のプリント基板を横に配列する場合に比べて、余分なスペースを必要としない。そして、さらに、重ねて配置された複数のプリント基板のうち最上部のプリント基板と開口との間に複数種類の識別情報受付手段が配置されるので、識別情報受付手段がプリント基板に遮られて識別情報を受け付けることができないといった問題を回避することができる。
【発明を実施するための最良の形態】
【００１６】
〔第１実施形態〕
以下、本発明に係る情報処理装置の一例としての複合機１について説明する。複合機１は、スキャナ処理、印刷処理、複写処理、ファクシミリ通信処理、電子メール通信処理等の情報処理を行うことができるＭＦＰ（Multifunction Peripheral）であって、指紋認証機能及びＩＣカード認証機能を備えている。
【００１７】
まず、図１から図３を参照しつつ、複合機１の構成について説明する。図１は複合機１の電気的構成を示すブロック図である。図２は、複合機１の外観構成を示す斜視図である。図３は、複合機１のプリント基板３の取付け構造をしめす拡大分解斜視図である。
【００１８】
図１に示すように、複合機１は、本体部１０と、本体部１０のプリント基板嵌入部１１６に嵌入される認証用プリント基板２０と、指紋センサ３１と、識別情報受信アンテナ３２と、を備える。そして、本体部１０は、ＣＰＵ（Central Processing Unit）１０１、ＲＯＭ（Read Only Memory）１０２、ＲＡＭ（Random Access Memory）１０３、原稿読取部１０４、画像処理部１０５、コーデック（ＣＯＤＥＣ：Coder and Decoder）１０６、画像メモリ１０７、プリンタ１０８、操作部１０９、表示部１１０、ＦＡＸ通信部１１１、ＬＡＮ−Ｉ／Ｆ（Local Area Network Interface）１１２、シリアルコントローラ１１３、を具備し、各部はバス１１５により通信可能に接続されている。また、シリアルコントローラ１１３はシリアルポート１１４にも接続されており、この接続ポート１１４を介して認証用プリント基板２０と接続される。複合機１の本体部１０は、図２に示すように概ね直方体の外形であり、この本体部１０の上部前方にはオペレーションパネル１１７が配置されており、操作部１０９、表示部１１０のほか、認証用プリント基板２０が嵌入されるプリント基板嵌入部１１６が形成されている。
【００１９】
ＣＰＵ１０１は、ＲＯＭ１０２に格納されている制御プログラムに従って、複合機１の各部の動作を制御する。ＲＯＭ１０２は、制御部１０１によりこの複合機１の各部の動作を制御するための前記制御プログラム等を格納する。なお、制御プログラムとしては、スキャナ処理、印刷処理、複写処理、ファクシミリ通信処理、電子メール通信処理等の各種情報処理の制御を行うプログラム、認証用プリント基板２０に実装された各素子を制御するプログラムなどが挙げられる。ＲＡＭ１０３は、複合機１の動作に用いる設定情報等の各種データ等を、読み出し及び書き込みが可能な状態で記憶するものである。
【００２０】
原稿読取部１０４は複合機１の上部に設けられており、原稿の画像を読み取ってスキャンデータを生成するものである。この原稿読取部１０４は、図示されていない透明な原稿載置板に載置された原稿を読み取るフラット・ベッド・スキャナ（ＦＢＳ：Flat Bed Scanner）、フラット・ベッド・スキャナの直上にフラット・ベッド・スキャナに対して開閉自在に設けられた原稿カバー１０４ａ、原稿カバー１０４ａの上部に形成され原稿を載置する原稿トレイ１０４ｂ及び、原稿トレイ１０４ｂに載置された原稿を読み取るべく、その原稿を搬送する自動原稿給送装置（ＡＤＦ：Automatic Document Feeder）１０４ｃを備えている。
【００２１】
画像処理部１０５は、原稿読取部１０４から出力されたスキャンデータに対して、色調整、色空間変換、２値化等の処理を行うものである。コーデック１０６は、画像処理部１０５等によって処理されたスキャンデータを符号化（エンコード）し、また、符号化されたスキャナファイル（画像データ）を復号（デコード）するものである。コーデック１０６に入力されたスキャンデータは、ＪＰＥＧ、ＭＨ、ＭＲ、ＭＭＲ、ＪＢＩＧ方式等に基づいて符号化されたスキャナファイルにされ、画像メモリ１０７に記憶される。
【００２２】
プリンタ１０８は、画像メモリ１０７から読み出され、コーデック１０６によって復号された画像を印刷出力するものである。このプリンタ１０８には、上下方向に３段の給紙トレイ１０８ａが重なって配置されており、記録紙を収容している。そして給紙トレイ１０８ａの上には、側方に向けて開口した排紙トレイ１０８ｂが設けられており、給紙トレイ１０８ａからプリンタ１０８の内部に給送された記録紙は、所定の画像が記録されて、排紙トレイ１０８ｂに排出される。
【００２３】
操作部１０９は、複合機１の上部正面に位置するオペレーションパネルに配置される各種の操作キーであり、原稿の読み取り動作の開始を指示するためのスタートキー１０９ａ、ファクシミリ番号、コピー部数等を入力するためのテンキー１０９ｂ、操作対象を指定するためのカーソルキー１０９ｃ、操作の決定を行う決定キー等の入力キー１０９ｄを備えている。表示部１１０は、各種処理に関わる設定状態や自装置１の動作状態等を表示する液晶表示装置（ＬＣＤ：Liquid Crystal Display）であり、オペレーションパネル上の操作部１０９の各種操作キーの間に配置されている。
【００２４】
ＦＡＸ通信部１１１は、原稿画像をファクシミリ通信するものであり、図示しないが、モデム（ＭＯＤＥＭ：MOdulator-DEModulator）及びＮＣＵ（Network Control Unit）を備えている。モデムは、例えばＩＴＵ−Ｔ（国際電気通信連合電気通信標準化部門）の勧告Ｖ．３４規格又はこれと同様のものに従った送受信データの変調及び復調を行うものである。ＮＣＵは、電話回線を制御して電話をかけたり、切ったりする回線網制御装置であり、図示しないＰＳＴＮに接続される。ＰＳＴＮには、複合機１の他にＧ３ファクシミリ装置等が通信可能に接続され、複合機１は、Ｇ３ファクシミリ装置等との間で画像をファクシミリ送受信することが可能である。
【００２５】
ＬＡＮ−Ｉ／Ｆ１１２は、複合機１を図示しないＬＡＮに接続可能にするものである。ＬＡＮには、図示しないパーソナルコンピュータ等が接続され、複合機１はパーソナルコンピュータ等との間でデータの通信が可能である。また、ＬＡＮは、図示しないルータを介してインターネットに接続されている。したがって、複合機１は、他の複合機との間でインターネットファクシミリ通信（電子メール通信）を行うことも可能である。
【００２６】
シリアルコントローラ１１３は、認証用プリント基板２０からシリアルポート１１４を介して受信したシリアルデータをパラレルデータに変換し、及びＣＰＵ１０１などから送信されたパラレルデータをシリアルデータに変換する図示しないＵＡＲＴ（Universal Asynchronous Receiver Transmitter）等の電子回路を備え、本体部１０と認証用プリント基板２０との間の通信を制御するものである。
【００２７】
シリアルポート１１４は、認証用プリント基板２０と接続する接続端子であり、少なくとも電源供給線１１４ａ、グランド線１１４ｂ、データ受信線（ＲＸＤ：Receive Data）１１４ｃ、データ送信線（ＴＸＤ：Transmit Data）１１４ｄ、スイッチ制御線１１４ｅの少なくとも５本の信号線が備わるものである。なお、このシリアルポート１１４は、プリント基板嵌入部１１６の内部空間の側壁から突出して配置されており、このプリント基板嵌入部１１６に嵌入される認証用プリント基板２０に接続される。
【００２８】
プリント基板嵌入部１１６は、操作部１０９及び表示部１１０が形成されたオペレーションパネル１１７に開口１１６ａを設けた略直方体の窪みと、開口１１６ａを覆う平板状のカバー１１６ｂと、からなる。プリント基板嵌入部１１６の内底面１１６ｄの各隅及びカバー１１６ｂの各隅には、螺子孔１１６ｃが形成されている。また、カバー１１６ｂには、認証用プリント基板２０に固定される指紋センサ３１と整合する位置に矩形の窓１１６ｅが形成されている。
【００２９】
認証用プリント基板２０は、デバイスコントローラ２０１、２０２、指紋認証ＭＰＵ２０３、ＩＣカード認証ＭＰＵ２０４、メモリ２０５、２０６、シリアルポート２０７、及び切替スイッチ２０８を具備している。そして、デバイスコントローラ２０１、指紋認証ＭＰＵ２０３、及びメモリ２０５は、バス２０９により通信可能に接続されており、また、認証用プリント基板２０の直上には、指紋認証ＭＰＵ２０３に接続された指紋センサ３１が配置されており、これらの機能により指紋認証処理は実現される。また、デバイスコントローラ２０２、ＩＣカード認証ＭＰＵ２０４、及びメモリ２０６は、バス２１０により通信可能に接続されており、また、認証用プリント基板２０の直上には、ＩＣカード認証ＭＰＵ２０３に接続された識別情報受信アンテナ３２が配置されており、これらの機能によりＩＣカード認証は実現される。
【００３０】
デバイスコントローラ２０１、２０２はそれぞれ本体部１０とのデータの送受信を制御するものであり、本体部１０からシリアルポート２０８、切替スイッチ２０７を介して受信したシリアル信号をパラレルデータに変換するとともに、ＭＰＵ２０３、２０４、から送信されるパラレルデータをシリアルデータに変換するものである。
【００３１】
指紋認証用ＭＰＵ２０３は、指紋認証処理を制御するＬＳＩである。また、ＩＣカード認証用ＭＰＵ２０４は、ＩＣカード認証処理を制御するＬＳＩである。メモリ２０５、２０６はデータの消去・書き込みを自由に行なうことができる不揮発性の記憶媒体であって、メモリ２０５には例えば特徴点を抽出して指紋認証を行う指紋認証プログラムや予め情報処理権限が与えられた操作者の指紋の特徴点データが記憶されている。また、メモリ２０６には識別情報の同一性により認証を行うＩＣカード認証プログラムや予め情報処理権限が与えられた操作者のＩＣカード識別情報が記憶されている。
【００３２】
指紋センサ３１は、例えば光学式のＬＥＤの光源からの反射を走査する方式のセンサであり、認証用プリント基板２０の略中央の直上に固着された矩形平板状のセンサである。また、識別情報受信アンテナ３２は、上方からみて指紋センサ３１と重なり合わないように認証用プリント基板２０の周縁近傍に配線されたアンテナコイルであって、図示しないＩＣカードに内蔵されたＩＣチップから発信された電波を非接触の状態で受信するものである。
【００３３】
シリアルポート２０７は、複合機１の本体部１０のシリアルポート１１４と接続する接続端子であり、少なくとも電源供給線２０７ａ、グランド線２０７ｂ、データ受信線（ＲＸＤ：Receive Data）２０７ｃ、データ送信線（ＴＸＤ：Transmit Data）２０７ｄ、スイッチ制御線２０７ｅの少なくとも５本の信号線が備わるものである。そして、切替スイッチ２０８は、データ受信線２０７ｃ及びデータ送信線２０７ｄにそれぞれ一端が接続されたスイッチであって、他端はデバイスコントローラ２０１、２０２に選択的に接続されるものである。このように切替スイッチ２０８により、データ受信線２０７ｃ及びデータ送信線２０７ｄは、指紋認証ＭＰＵ２０３側のデバイスコントローラ２０１とＩＣカード認証ＭＰＵ２０４側のデバイスコントローラ２０２とを選択的に接続できるので、本体部１０のシリアルコントローラ１１３やシリアルポート１１４がそれぞれ１つのみで、指紋認証処理及びＩＣカード認証処理の２種類の認証処理における通信を制御することができる。なお、この切替スイッチには、スイッチ制御線２０７ｅも接続されており、本体部１０のＣＰＵ１０１からこのスイッチ制御線２０７ｅを介して制御信号が送信され、切替スイッチはこの制御信号により、デバイスコントローラ２０１、２０２の接続を切り替える処理を行う。
【００３４】
認証用プリント基板２０は、プリント基板嵌入部１１６の開口１１６ａから内部に嵌入され、複合機１の本体部１０のシリアルコントローラ１１４と認証用プリント基板２０のシリアルコントローラ２０７とを嵌着させるとともに、認証プリント配線版２０の各隅に配置された貫通孔２１１と、プリント基板嵌入部１１６のカバー１１６ｂ及び内底面１１６ｄの各隅に配置された螺子孔１１６ｃと、を整合させて、ネジ１１６ｆを螺着させて固定する。
【００３５】
次に、以上に構成を説明した複合機１において、所定の情報処理を行う際になされる認証処理において主にＣＰＵ１０１が行う処理について図４から図６を参照しつつ説明する。図４は、認証方法を選択する認証選択処理のルーチンを示すフローチャートである。図５は、指紋認証処理のルーチンを示すフローチャートである。図６は、ＩＣカード認証処理のルーチンを示すフローチャートである。
【００３６】
まず、認証選択処理では、図４に示すように、ＣＰＵ１０１は、認証が必要な処理が選択されたか否か判断する（ステップＳ３０）。すなわち、操作者が操作部１０９を操作して、複合機１に認証が必要な処理の実行を指示したか否か判断する。ここで、認証が必要な処理とは、スキャナ処理、印刷処理、複写処理、ファクシミリ通信処理、電子メール通信処理等の情報処理であるが、予め複合機１の管理者が各処理内容及び各処理に用いる情報のセキュリティーレベルに応じて任意に認証を必要とする処理か否かを設定しておくことができる。認証が必要でない処理であると判断すると（ステップＳ３０：ＮＯ）、認証処理は行わずに、選択された情報処理を行い（ステップＳ５６）、認証選択処理のルーチンを終了する。
【００３７】
一方、認証が必要な処理であると判断すると（ステップＳ３０：ＹＥＳ）、次に、２重の認証が必要な処理であるか否か判断する（ステップＳ３２：ＹＥＳ）。本実施形態において、２重認証とは、指紋認証及びＩＣカード認証のそれぞれに成功した場合にのみ認証に成功したと判断する処理をいう。２重認証が必要な処理であると判断すると（ステップＳ３２：ＹＥＳ）、次に指紋認証処理を行う（ステップＳ３４）。この指紋認証処理では、複合機１の操作者の指紋に基いて認証を行い、認証に成功したと判断すると指紋認証フラグをＯＮする処理が行われる。指紋認証処理を行うと、次に指紋認証フラグはＯＮか否か判断する（ステップＳ３６）。指紋認証フラグがＯＦＦであると判断すると（ステップＳ３６：ＮＯ）指紋認証に成功していないので、選択された情報処理を行わずに、認証選択処理のルーチンを終了する。
【００３８】
一方、指紋認証フラグがＯＮであると判断すると（ステップＳ３６：ＹＥＳ）、次に、ＩＣカード認証処理（ステップＳ３８）を行う。このＩＣカード認証処理では、ＩＣカードから受信したＩＣカード識別情報に基いて認証を行い、認証に成功したと判断するとＩＣカード認証フラグをＯＮにする処理が行われる。ＩＣカード認証処理が行われると（ステップＳ３８）、次にＩＣカード認証フラグがＯＮであるか否か判断する（ステップＳ４０）。ＩＣカード認証フラグがＯＮであると判断すると（ステップＳ４０：ＹＥＳ）、次にステップＳ５４に進む。一方、ＩＣカード認証フラグがＯＦＦであると判断すると（ステップＳ４０：ＮＯ）、指紋認証フラグをＯＦＦにして（ステップＳ４２）、認証選択処理のルーチンを終了する。
【００３９】
ステップＳ３２に戻って、二重認証が必要な処理が選択されていないと判断すると、次に、指紋認証が必要か否か判断する（ステップＳ４４）。指紋認証が必要な処理であると判断すると（ステップＳ４４：ＹＥＳ）、指紋認証処理を行う（ステップＳ４６）。そして、指紋認証処理を行うと、次に、指紋認証フラグがＯＮか否か判断する（ステップＳ４８）。指紋認証フラグがＯＮであると判断すると（ステップＳ４８：ＹＥＳ）、次にステップＳ５４に進む。一方指紋認証フラグがＯＦＦであると判断すると（ステップＳ４８：ＮＯ）、選択された情報処理を実行せずに認証選択処理のルーチンを終了する。
【００４０】
ステップＳ４４に戻って、指紋認証が必要な処理でないと判断すると（ステップＳ４４：ＮＯ）、ＩＣカード認証が必要な処理であるので、ＩＣカード認証処理を行う（ステップＳ５０）。そして、ＩＣカード認証処理を行うと、次に、ＩＣカード認証フラグがＯＮか否か判断する（ステップＳ５２）。ＩＣカード認証フラグがＯＮであると判断すると（ステップＳ５２：ＹＥＳ）ステップＳ５４に進む。一方、ＩＣカード認証フラグがＯＦＦであると判断すると（ステップＳ５２：ＮＯ）、選択された情報処理を実行せずに認証選択処理のルーチンを終了する。
【００４１】
ステップＳ４０、ステップＳ４８、ステップＳ５２において、それぞれのフラグがＯＮであると判断すると、ＯＮされている指紋認証フラグ又はＩＣカード認証フラグをＯＦＦにする（ステップＳ５４）。そして、選択した情報処理を実行して（ステップＳ５６）認証選択処理のルーチンを終了する。
【００４２】
このように、本実施形態の複合機１においては、情報処理の内容や情報のセキュリティーレベルに応じて、２重認証を行う、指紋認証のみを行う、ＩＣカード認証のみを行う、及びいずれの認証も行わない、の４種類のパターンを選択できる。なお、本実施形態においては、２重認証を行う場合に、まず指紋認証処理を行い、次にＩＣカード認証処理を行う構成としているが、ＩＣカード認証処理を先に行い、次に指紋認証処理を行うものであってもよい。
【００４３】
認証選択処理（図４）において、ステップＳ３４、及びステップＳ４６で行われる指紋認証処理では、図５に示すように、まず、ＣＰＵ１０１は、切替スイッチ２０８を制御して、指紋認証用のデバイスコントローラ側に接続を切り替える（ステップＳ３４０）。すなわち、ＣＰＵ１０１はスイッチを指紋認証用デバイスコントローラ側に切り替える制御信号をシリアルコントローラ１１３から切替スイッチ２０８までスイッチ制御線１１４ｅ、２０７ｅを介して送信する。そして、制御信号を受信した切替スイッチ２０８は、データ受信線２０７ｃ、及びデータ送信線２０７ｄが接続されたそれぞれのスイッチを指紋センサ３１側のデバイスコントローラ２０１に接続させる。
【００４４】
次に、指紋センサを走査させて複合機１の操作者の指紋を読み取る（ステップＳ３４２）。そして、指紋認証ＭＰＵ２０３がメモリ２０５に記憶されている指紋認証プログラムにしたがって、読み取った指紋データの特徴点を抽出し、この特徴点と、メモリ２０５に記憶されている複合機１の操作権限を有する特徴点データとを照合する（ステップＳ３４４）。そして、照合の結果認証に成功したか否か判断する（ステップＳ３４６）。認証に成功したと判断すると（ステップＳ３４６：ＹＥＳ）、指紋認証フラグをＯＮにして（ステップＳ３４８）、指紋認証処理のルーチンを終了する。一方、認証に成功していないと判断すると（ステップＳ３４６：ＮＯ）、表示部１１０に指紋認証に失敗した旨の表示をして（ステップＳ３５０）、指紋認証処理のルーチンを終了する。
【００４５】
認証選択処理（図４）において、ステップＳ３８、及びステップＳ５０で行われるＩＣカード認証処理では、図６に示すように、まず、ＣＰＵ１０１は、切替スイッチ２０８を制御して、ＩＣカード認証用のデバイスコントローラ２０２側に接続を切り替える（ステップＳ３８０）。すなわち、ＣＰＵ１０１はスイッチをＩＣカード認証用デバイスコントローラ２０２側に切り替える制御信号をシリアルコントローラ１１３から切替スイッチ２０８までスイッチ制御線１１４ｅ、２０７ｅを介して送信する。そして、制御信号を受信した切替スイッチ２０８は、データ受信線２０７ｃ、及びデータ送信線２０７ｄが接続されたそれぞれのスイッチをＩＣカード認証センサ側に接続させる。
【００４６】
次に、識別情報受信アンテナ３２を用いてＩＣカードから発信される識別情報を受信する（ステップＳ３８２）。そして、ＩＣカード認証ＭＰＵ２０４がメモリ２０６に記憶されているＩＣカード認証プログラムにしたがって、受信したＩＣカード識別情報と、メモリ２０６に記憶されている複合機１の操作権限を有するＩＣカード識別情報とを照合する（ステップＳ３８４）。そして、照合の結果認証に成功したか否か判断する（ステップＳ３８６）。認証に成功したと判断すると（ステップＳ３８６：ＹＥＳ）、ＩＣカード認証フラグをＯＮにして（ステップＳ３８８）、ＩＣカード認証処理のルーチンを終了する。一方、認証に成功していないと判断すると（ステップＳ３８６：ＮＯ）、表示部１１０にＩＣカード認証に失敗した旨の表示をして（ステップＳ３９０）、ＩＣカード認証処理のルーチンを終了する。
【００４７】
〔第２実施形態〕
本発明の実施形態は上述の実施形態に限定されるものでないことは云うまでもない。次に本発明の他の実施形態として、複合機７について図７から９に基いて説明する。なお、第１実施形態と同様の構成については同一の符号を付して説明を省略する。
【００４８】
複合機７は、本体部７０、指紋認証プリント基板８０、ＩＣカード認証用プリント基板９０、指紋センサ８１、及び識別情報受信アンテナ８２を備える。そして、本体部７０においては、ＣＰＵ１０１、ＲＯＭ１０２、ＲＡＭ１０３、原稿読取部１０４、画像処理部１０５、コーデック１０６、画像メモリ１０７、プリンタ１０８、操作部１０９、表示部１１０、ＦＡＸ通信部１１１、ＬＡＮ−Ｉ／Ｆ１１２、及びシリアルコントローラ１１３が、バス１１６により通信可能に接続されている。そして、シリアルコントローラ１１３は更に、切替スイッチ７１４を介して、２つのシリアルポート７１７、７１８のいずれかに切替可能に接続されている。また、複合機７の前方上部のオペレーションパネルには、操作部１０９、及び表示部１１０とともにプリント基板嵌入部１１６が形成される。
【００４９】
指紋認証プリント基板８０は、プリント基板嵌入部１１６に挿入することができる大きさの矩形平板状のプリント基板であって、デバイスコントローラ２０１、指紋認証用ＭＰＵ２０３、メモリ２０５が実装され、各部がバス２０９により通信可能に接続されている。また、指紋認証用ＭＰＵ２０３には矩形の指紋センサ８１が接続されており、指紋センサ８１は、指紋認証プリント基板８０のほぼ中央に固定されている。また、指紋認証プリント基板８０の各隅には貫通孔２１１が設けられている。
【００５０】
ＩＣカード認証プリント基板９０は、指紋認証プリント基板８０とほぼ同じ大きさのプリント基板であって、デバイスコントローラ２０２、ＩＣカード認証ＭＰＵ２０４、メモリ２０６が構成され、各部がバス２１０により通信可能に接続されている。またＩＣカード認証ＭＰＵ２０４には、識別情報受信アンテナ９１の一端が接続されている。識別情報受信アンテナ９１は、ＩＣカード認証プリント基板９１のＩＣカード認証ＭＰＵ２０４から延伸した細長い可撓性のフレキシブルプリント基板で構成されており、識別情報受信アンテナ９１の他端は、指紋認証プリント基板８０の周縁近傍の上部に配置される略矩形のアンテナコイルを形成している。また、ＩＣカード認証プリント基板９０の各隅にも貫通孔２１１が設けられている。
【００５１】
複合機７の本体部７０のプリント基板嵌入部１１６に、まず、ＩＣカード認証プリント基板９０を挿入して、プリント基板嵌入部１１６の内側面から突出して配置されているシリアルポート７１８にＩＣカード認証プリント基板９０のシリアルポート９０７を嵌着させる。そして、指紋認証プリント基板８０を挿入して、シリアルポート７１８の上に、プリント基板嵌入部１１６の内側面から突出して配置されているシリアルポート７１７に、指紋認証プリント基板８０のシリアルポート８０７を嵌着させる。このようにすると、指紋認証プリント基板８０とＩＣカード認証プリント基板９０とが、上方から見て重なり合って配置されることとなる。そして、指紋認証プリント基板８０の下側に位置するＩＣカード認証プリント基板９０から延伸した識別情報受信アンテナ９１を指紋認証プリント基板８０の上に配置する。
【００５２】
上述のように配置した指紋認証プリント基板８０及びＩＣカード認証プリント基板９０は、指紋認証プリント基板８０及びＩＣカード認証プリント基板９０の各隅に配置された貫通孔２１１と、プリント基板嵌入部１１６のカバー１１６ｂ及び内底面１１６ｄの各隅に配置された螺子孔１１６ｃと、を整合させて、ネジ１１６ｆを螺着させて固定する。
【００５３】
このように構成することで、指紋センサ８１はカバー１１６ｂの窓１１６ｅから外部に露出することとなり、複合機７の操作者が指紋センサ８１に指を接触させることができる。また、識別情報受信アンテナ９１は、指紋認証プリント基板８０の上に配置されるので、指紋認証プリント基板８０が障壁とならず、図示しないＩＣカードからよりクリアな電波を受信することができる。したがって、より精密に認証を行うことができる。
【００５４】
また、指紋認証プリント基板８０とＩＣカード認証プリント基板９０とが上下に重なって配置されることで、オペレーションパネル１７に余分なスペースを必要とせず、デザイン上も有利なものとすることができる。
【００５５】
なお、上述の実施の形態は一例であり、実施の形態は、上述の形態に限ることなく、本発明の思想の範囲を逸脱しない範囲で適宜変更することができる。例えば、本発明における「識別情報受付手段」として、上述の実施形態においては、指紋センサ３１、８１、識別情報受信アンテナ３２、９１を用いているが、これに限られず、静脈認証センサ、虹彩認証センサ、磁気カードリーダなど外部から識別情報を受け付ける手段であってもよい。また、「認証手段」も同様に、静脈認証、虹彩認証、磁気カード認証などに用いるプログラム、ＣＰＵ、及び／又は回路等であってもよい。また、「認証選択手段」は、上述の実施形態においては、複合機１、７のＣＰＵ１０１がこの機能を果たしているが、例えば認証プリント基板に実装されたＭＰＵなどがこの機能を果たすものであってもよい。また、「通信制御手段」として、本実施形態ではＵＡＲＴを備えたシリアルコントローラがこの機能を果たすものであるが、例えばＵＳＢホストコントローラ等であってもよい。
【産業上の利用可能性】
【００５６】
本発明は、例えば、認証された場合にのみスキャナ処理、印刷処理、複写処理、ファクシミリ通信処理、電子メール通信処理等を行う複合機１に適用可能である。
【図面の簡単な説明】
【００５７】
【図１】本発明の情報処理装置の一例としての複合機１の構成例を示すブロック図。
【図２】複合機１の外観構成を示す斜視図。
【図３】複合機１のプリント基板嵌入部１１６及び認証プリント基板２０を説明する分解拡大斜視図。
【図４】認証選択処理のルーチンを示すフローチャート。
【図５】指紋認証処理のルーチンを示すフローチャート。
【図６】ＩＣカード認証処理のルーチンを示すフローチャート。
【図７】本発明の情報処理装置の他の例としての複合機７の構成例を示すブロック図。
【図８】プリント基板嵌入部１１６、指紋認証プリント基板８０、及びＩＣカード認証プリント基板９０を説明する分解拡大斜視図。
【図９】プリント基板嵌入部１１６、指紋認証プリント基板８０、及びＩＣカード認証プリント基板９０の配置を説明する断面図。
【符号の説明】
【００５８】
１、７  複合機（情報処理装置）
１０１  ＣＰＵ（制御手段）
２０    認証プリント基板（プリント基板）
２０８  切替スイッチ（切替手段）
１１３  シリアルコントローラ（通信制御手段）
３１、８１    指紋センサ（識別情報受付手段）
３２、９１    識別情報受信アンテナ（識別情報受付手段）
８０    指紋認証プリント基板（プリント基板）
９０    ＩＣカード認証プリント基板（プリント基板）
７１４  切替スイッチ（切替手段）
１１４、２０７、７１７ａ、７１７ｂ、８０７、９０７  シリアルポート（接続手段）
【図１】
2008276329.tif 000003
【図２】
2008276329.tif 000004
【図３】
2008276329.tif 000005
【図４】
2008276329.tif 000006
【図５】
2008276329.tif 000007
【図６】
2008276329.tif 000008
【図７】
2008276329.tif 000009
【図８】
2008276329.tif 000010
【図９】
2008276329.tif 000011